(57)【要約】【課題】昇降路内温度の変化に係わらず、低いコストでテールコードの曲げ剛性を相応な状態に保持することのできるエレベータ装置の提供。【解決手段】乗かご２と機械室３内に設置された制御盤４との間で電力給電及び信号伝送を行うためのテールコード７を備えたエレベータ装置において、テールコード７に内設され、流体を充填可能なパイプ７３と、このパイプ７３に接続され、流体を注入或いは抜き出してパイプ内圧を加減し、テールコード７の曲げ剛性を調整する加減圧手段８とを備えたものである。【選択図】図１
2009126618.tif 000002
【特許請求の範囲】
【請求項１】
乗かごと機械室内に設置された制御盤との間で電力給電及び信号伝送を行うためのテールコードを備えたエレベータ装置において、
前記テールコードに内設され、流体を充填可能なパイプと、このパイプに接続され、前記流体を注入或いは抜き出してパイプ内圧を加減し、前記テールコードの曲げ剛性を調整する加減圧手段とを備えたことを特徴とするエレベータ装置。
【請求項２】
前記パイプは、前記テールコードの全長に渡って内設されることを特徴とする請求項１記載のエレベータ装置。
【請求項３】
前記パイプは、前記テールコードの一部に内設されることを特徴とする請求項１記載のエレベータ装置。
【発明の詳細な説明】
【技術分野】
【０００１】
本発明は、乗かごと機械室内に設置された制御盤との間で電力給電及び信号伝送を行うためのテールコードを備えたエレベータ装置に関する。
【背景技術】
【０００２】
一般に、エレベータにあっては図４に示すように、昇降路１内を昇降する乗かご２と、昇降路１の上部に設けられる機械室３と、機械室３に設置され、エレベータを制御するための制御盤４と、制御盤４から昇降路１上部まで延設されるコード５と、コード５にジョイント６を介して接続され、乗かご２と制御盤４との間で電力給電及び信号伝送を行うテールコード１７とを備えている。また、テールコード１７は図３に示すように、複数の電線１７１と、これらの電線１７１を覆う被覆１７２からなっている。
【０００３】
ところで、テールコード１７は、前述したように電線１７１及び被覆１７２からなっているが、気温に応じて被覆１７２の曲げ剛性が変化し、折返し部１７ａのＵ字径が変化して不具合が発生するおそれがある。即ち、夏季で昇降路内温度が４０℃前後に達した場合、テールコード１７１の被覆１７２は常温（２０℃前後）より軟らかくなり図４に示すように乗かご２が最下階付近に位置した際に折返し部１７ａのＵ字径が小さくなり、乗かご２に干渉するおそれがある。一方、冬季で昇降路内温度が０℃前後になった場合、被覆１７２は常温（２０℃前後）より硬くなるため、乗かご２が最下階付近に位置しテールコード１７の自重が小さくなるに従い、折返し部１７ａのＵ字径が大きくなり、昇降路壁や昇降路機器に干渉するおそれがある。
【０００４】
このような気温の変化に伴う折返し部１７ａのＵ字径の変化を防ぐため、従来、被覆を暖めるヒータ線を備えたものが提案されている（例えば、特許文献１参照）。
【特許文献１】特公平１１−７１０７０号公報
【発明の開示】
【発明が解決しようとする課題】
【０００５】
しかしながら、前述した従来のものは、ヒータ線を通電し、ヒータ線の熱によりテールコードの被覆を暖めるものであり、例えば冬季で昇降路内温度が０℃前後になった状態で、長尺物であるテールコードを、その折返し部のＵ字径が所望の大きさを保持できるまで温めそれを維持しようとした場合、かなりの電力を消費することから、ランニングコストの観点で問題があった。
【０００６】
本発明は、前述した従来技術における実状からなされたもので、その目的は、昇降路内温度の変化に係わらず、低いコストでテールコードの曲げ剛性を相応な状態に保持することのできるエレベータ装置を提供することにある。
【課題を解決するための手段】
【０００７】
前記目的を達成するために、本発明の請求項１に係る発明は、乗かごと機械室内に設置された制御盤との間で電力給電及び信号伝送を行うためのテールコードを備えたエレベータ装置において、前記テールコードに内設され、流体を充填可能なパイプと、このパイプに接続され、前記流体を注入或いは抜き出してパイプ内圧を加減し、前記テールコードの曲げ剛性を調整する加減圧手段とを備えたことを特徴としている。
【０００８】
このように構成した本発明の請求項１に係る発明は、昇降路内温度に応じて適宜、加減圧手段により流体を注入或いは抜き出してパイプ内圧を加減し、テールコードの曲げ剛性を調整する。これによって、特別な動力を要することなくテールコードの曲げ剛性の調整が可能であり、したがって、昇降路内温度の変化に係わらず、低いコストでテールコードの曲げ剛性を相応な状態に保持することができる。
【０００９】
また、本発明の請求項２に係る発明は、前記パイプが、前記テールコードの全長に渡って内設されることを特徴としている。
【００１０】
このように構成した本発明の請求項２に係る発明は、テールコードの全長に渡って曲げ剛性を調整し、テールコード折返し部のＵ字径を一定にする。
【００１１】
さらに、本発明の請求項３に係る発明は、前記パイプが、前記テールコードの一部に内設されることを特徴としている。
【００１２】
このように構成した本発明の請求項３に係る発明は、テールコードの特定箇所の曲げ剛性を調整し、テールコード折返し部のＵ字径を一定にする。
【発明の効果】
【００１３】
本発明によれば、流体を注入或いは抜き出すことでテールコードに内設されたパイプ内圧を加減することにより、昇降路内温度の変化に係わらず、テールコードの曲げ剛性を相応な状態に保持することができ、これによって、テールコード折返し部が乗かご等に干渉することを防ぐことができる。また、特別な動力を要することなくテールコードの曲げ剛性の調整が可能であり、したがって低いコストで維持可能な装置とすることができる。
【発明を実施するための最良の形態】
【００１４】
以下、本発明のエレベータ装置に係る実施の形態を図に基づいて説明する。
【００１５】
図１は本発明のエレベータ装置に係る一実施形態を示すテールコードの要部拡大断面図、図２は本エレベータ装置の概略構成図である。
【００１６】
本実施形態のエレベータ装置は図２に示すように、昇降路１内を昇降する乗かご２と、昇降路１の上部に設けられる機械室３と、機械室３に設置され、エレベータを制御するための制御盤４と、制御盤４から昇降路１上部まで延設されるコード５と、コード５にジョイント６を介して接続され、乗かご２と制御盤４との間で電力給電及び信号伝送を行うテールコード７とを備えている。
【００１７】
また、テールコード７は図１に示すように、複数の電線７１と、これらの電線７１を覆う被覆７２と、テールコード７の全長に渡って内設され、流体、即ち液体或いは気体を充填可能なパイプ７３とを備えている。さらに、図２に示すように、パイプ７３に接続され、流体を注入或いは抜き出してパイプ内圧を加減し、テールコード７の曲げ剛性を調整する加減圧手段８が設けられている。
【００１８】
本実施形態では、夏季等、昇降路１内温度が高くなった場合、加減圧手段８によりパイプ７３に流体を注入しパイプ内圧を高めてテールコード７の曲げ剛性を調整し、昇降路１内温度上昇により被膜７２が軟らかくなっても、テールコード７の折返し部７ａのＵ字径が所定の大きさを保持するようにする。一方、冬季等、昇降路１内温度が低くなった場合、加減圧手段８によりパイプ７３から流体を抜き出しパイプ内圧を低めてテールコード７の曲げ剛性を調整し、昇降路１内温度低下により被膜７２が硬くなっても、折返し部７ａのＵ字径が所定の大きさを保持するようにする。
【００１９】
本実施形態によれば、流体を注入或いは抜き出すことでテールコード７に内設されたパイプ７３内の流体を加減圧することにより、昇降路１内温度の変化に係わらず、テールコード７の曲げ剛性を相応な状態に保持することができ、これによって、折返し部７ａが乗かご２等に干渉することを防ぐことができる。また、特別な動力を要することなくテールコード７の曲げ剛性の調整が可能であり、したがって低いコストで維持可能な装置とすることができる。
【００２０】
なお、本実施形態では、流体が充填されるパイプ７３をテールコード７の全長に渡って内設した構造としたが、本発明はこれに限らず、テールコード７の一部にパイプを内設し、テールコード７の特定箇所の曲げ剛性を調整するようにすることも可能である。
【図面の簡単な説明】
【００２１】
【図１】本発明のエレベータ装置に係る一実施形態を示すテールコードの要部拡大断面図である。
【図２】本エレベータ装置の概略構成図である。
【図３】従来のテールコードの要部拡大断面図である。
【図４】従来のエレベータ装置の概略構成図である。
【符号の説明】
【００２２】
１  昇降路
２  乗かご
３  機械室
４  制御盤
５  コード
６  ジョイント
７  テールコード
７１  電線
７２  被膜
７３  パイプ
８  加減圧手段
【図１】
2009126618.tif 000003
【図２】
2009126618.tif 000004
【図３】
2009126618.tif 000005
【図４】
2009126618.tif 000006